【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
画像データの出力部数を、ユーザが指定するようにするための部数指定手段と、
前記部数指定手段を用いてユーザにより指定された出力部数の画像データに対して、出力する部毎に異なる部番号を付加する部番号付加手段と、
前記部数指定手段を用いてユーザにより指定された部数の画像データを出力する画像データ出力手段とを備え、
前記部番号付加手段は、前記部数指定手段を用いてユーザにより指定された画像データの出力部数が２以上である場合に限り、前記画像データに対して部番号を付加し、
前記画像データ出力手段は、前記部番号付加手段により部番号が付加された場合には、その付加された部番号とともに画像データを出力することを特徴とする画像形成装置。
【請求項２】
画像データの出力部数を、ユーザが指定するようにするための部数指定手段と、
前記部数指定手段を用いてユーザにより指定された出力部数の画像データに対して、出力する部毎に異なる部番号を付加する部番号付加手段と、
前記部数指定手段を用いてユーザにより指定された部数の画像データを出力する画像データ出力手段とを有し、
前記部番号付加手段は、前記画像データの出力媒体がＯＨＰ用紙であり、そのＯＨＰ用紙に中差し用紙が中差しされる場合には、前記ＯＨＰ用紙に出力される画像データに対しては部番号を付加せずに、前記中差し用紙に出力される画像データに対してのみに部番号を付加し、
前記画像データ出力手段は、前記部番号付加手段により部番号が付加された場合には、その付加された部番号とともに画像データを出力することを特徴とする画像形成装置。
【請求項３】
画像データの出力部数を、ユーザが指定するようにするための部数指定手段と、
前記部数指定手段を用いてユーザにより指定された出力部数の画像データに対して、出力する部毎に異なる部番号を付加する部番号付加手段と、
前記部数指定手段を用いてユーザにより指定された部数の画像データを出力する画像データ出力手段とを有し、
前記部番号付加手段は、機器側が独自に生成した画像データに対しては、前記部番号を付加しないことを特徴とする画像形成装置。
【請求項４】
前記機器側が独自に生成した画像データは、機器情報リストであることを特徴とする請求項３に記載の画像形成装置。
【請求項５】
前記機器側が独自に生成した画像データは、フォントリストであることを特徴とする請求項３に記載の画像形成装置。
【請求項６】
画像データの出力部数を、ユーザが指定するようにするための部数指定手段と、
前記画像データを縮小する画像データ縮小手段と、
前記部数指定手段を用いてユーザにより指定された出力部数の画像データに対して、出力する部毎に異なる部番号を付加する部番号付加手段と、
前記部数指定手段を用いてユーザにより指定された部数の画像データを出力する画像データ出力手段とを有し、
前記部番号付加手段は、前記画像データ縮小手段によって縮小された画像データに応じて、部番号を縮小し、縮小した部番号を前記縮小された画像データに付加し、
前記画像データ出力手段は、前記部番号付加手段により部番号が付加された場合には、その付加された部番号とともに画像データを出力することを特徴とする画像形成装置。
【請求項７】
ページ記述言語による画像データを入力する画像データ入力手段と、
前記画像データ入力手段により入力されたページ記述言語による画像データをバンド符号化表現に翻訳する翻訳手段と、
前記バンド符号化表現を記憶するための第１の記憶手段と、
前記バンド符号化表現からラスタデータを生成するラスタデータ生成手段と、
前記ラスタデータ生成手段により生成されたラスタデータを記憶するための第２の記憶手段とを備え、
前記画像データ縮小手段は、前記ラスタデータを縮小し、
前記部番号付加手段は、前記画像データ縮小手段によって縮小されたラスタデータに応じて、部番号を縮小し、縮小した部番号を前記縮小されたラスタデータに付加し、
前記画像データ出力手段は、前記部数指定手段を用いてユーザにより指定された部数のラスタデータを、前記部番号付加手段により付加された部番号とともに出力することを特徴とする請求項６に記載の画像形成装置。
【請求項８】
ページ記述言語による画像データを入力する画像データ入力手段と、
前記画像データ入力手段により入力されたページ記述言語による画像データをバンド符号化表現に翻訳する翻訳手段と、
前記バンド符号化表現を記憶するための第１の記憶手段と、
前記バンド符号化表現からラスタデータを生成するラスタデータ生成手段と、
前記ラスタデータ生成手段により生成されたラスタデータを記憶するための第２の記憶手段とを備え、
前記部番号付加手段は、前記部数指定手段を用いてユーザにより指定された部数のラスタデータに対して、部番号を付加し、
前記画像データ出力手段は、前記部数指定手段を用いてユーザにより指定された部数のラスタデータを出力することを特徴とする請求項１〜６の何れか１項に記載の画像形成装置。
【請求項９】
ユーザにより指定された出力部数の画像データに対して、出力する部毎に異なる部番号を付加する部番号付加ステップと、
前記ユーザにより指定された部数の画像データを出力する画像データ出力ステップとを備え、
前記部番号付加ステップは、前記ユーザにより指定された画像データの出力部数が２以上である場合に限り、前記画像データに対して部番号を付加し、
前記画像データ出力ステップは、前記部番号付加ステップにより部番号が付加された場合には、その付加された部番号とともに画像データを出力することを特徴とする画像形成方法。
【請求項１０】
ユーザにより指定された出力部数の画像データに対して、出力する部毎に異なる部番号を付加する部番号付加ステップと、
前記ユーザにより指定された部数の画像データを出力する画像データ出力ステップとを有し、
前記部番号付加ステップは、前記画像データの出力媒体がＯＨＰ用紙であり、そのＯＨＰ用紙に中差し用紙が中差しされる場合には、前記ＯＨＰ用紙に出力される画像データに対しては部番号を付加せずに、前記中差し用紙に出力される画像データに対してのみに部番号を付加し、
前記画像データ出力ステップは、前記部番号付加ステップにより部番号が付加された場合には、その付加された部番号とともに画像データを出力することを特徴とする画像形成方法。
【請求項１１】
ユーザにより指定された出力部数の画像データに対して、出力する部毎に異なる部番号を付加する部番号付加ステップと、
前記ユーザにより指定された部数の画像データを出力する画像データ出力ステップとを有し、
前記部番号付加ステップは、機器側が独自に生成した画像データに対しては、前記部番号を付加しないことを特徴とする画像形成方法。
【請求項１２】
前記機器側が独自に生成した画像データは、機器情報リストであることを特徴とする請求項１１に記載の画像形成方法。
【請求項１３】
前記機器側が独自に生成した画像データは、フォントリストであることを特徴とする請求項１１に記載の画像形成方法。
【請求項１４】
ユーザにより指定された部数の画像データを縮小する画像データ縮小ステップと、
前記ユーザにより指定された出力部数の画像データに対して、出力する部毎に異なる部番号を付加する部番号付加ステップと、
前記ユーザにより指定された部数の画像データを出力する画像データ出力ステップとを有し、
前記部番号付加ステップは、前記画像データ縮小ステップによって縮小された画像データに応じて、部番号を縮小し、縮小した部番号を前記縮小された画像データに付加し、
前記画像データ出力ステップは、前記部番号付加ステップにより部番号が付加された場合には、その付加された部番号とともに画像データを出力することを特徴とする画像形成方法。
【請求項１５】
ページ記述言語による画像データを入力する画像データ入力ステップと、
前記画像データ入力ステップにより入力されたページ記述言語による画像データをバンド符号化表現に翻訳する翻訳ステップと、
前記バンド符号化表現を記憶媒体に記憶する第１の記憶ステップと、
前記バンド符号化表現からラスタデータを生成するラスタデータ生成ステップと、
前記ラスタデータ生成ステップにより生成されたラスタデータを記憶媒体に記憶する第２の記憶ステップとを備え、
前記画像データ縮小ステップは、前記ラスタデータを縮小し、
前記部番号付加ステップは、前記画像データ縮小ステップによって縮小されたラスタデータに応じて、部番号を縮小し、縮小した部番号を前記縮小されたラスタデータに付加し、
前記画像データ出力ステップは、前記ユーザにより指定された部数のラスタデータを、前記部番号付加ステップにより付加された部番号とともに出力することを特徴とする請求項１４に記載の画像形成方法。
【請求項１６】
ページ記述言語による画像データを入力する画像データ入力ステップと、
前記画像データ入力ステップにより入力されたページ記述言語による画像データをバンド符号化表現に翻訳する翻訳ステップと、
前記バンド符号化表現を記憶するための第１の記憶ステップと、
前記バンド符号化表現からラスタデータを生成するラスタデータ生成ステップと、
前記ラスタデータ生成ステップにより生成されたラスタデータを記憶するための第２の記憶ステップとを備え、
前記部番号付加ステップは、前記ユーザにより指定された部数のラスタデータに対して、部番号を付加し、
前記画像データ出力ステップは、前記ユーザにより指定された部数のラスタデータを出力することを特徴とする請求項９〜１４の何れか１項に記載の画像形成方法。
【請求項１７】
ユーザにより指定された出力部数の画像データに対して、出力する部毎に異なる部番号
を付加する部番号付加ステップと、
前記ユーザにより指定された部数の画像データを出力する画像データ出力ステップとをコンピュータプログラムに実行させ、
前記部番号付加ステップは、前記ユーザにより指定された画像データの出力部数が２以上である場合に限り、前記画像データに対して部番号を付加し、
前記画像データ出力ステップは、前記部番号付加ステップにより部番号が付加された場合には、その付加された部番号とともに画像データを出力することを特徴とするコンピュータプログラム。
【請求項１８】
ユーザにより指定された出力部数の画像データに対して、出力する部毎に異なる部番号を付加する部番号付加ステップと、
前記ユーザにより指定された部数の画像データを出力する画像データ出力ステップとをコンピュータに実行させ、
前記部番号付加ステップは、前記画像データの出力媒体がＯＨＰ用紙であり、そのＯＨＰ用紙に中差し用紙が中差しされる場合には、前記ＯＨＰ用紙に出力される画像データに対しては部番号を付加せずに、前記中差し用紙に出力される画像データに対してのみに部番号を付加し、
前記画像データ出力ステップは、前記部番号付加ステップにより部番号が付加された場合には、その付加された部番号とともに画像データを出力することを特徴とするコンピュータプログラム。
【請求項１９】
ユーザにより指定された出力部数の画像データに対して、出力する部毎に異なる部番号を付加する部番号付加ステップと、
前記ユーザにより指定された部数の画像データを出力する画像データ出力ステップとをコンピュータに実行させ、
前記部番号付加ステップは、機器側が独自に生成した画像データに対しては、前記部番号を付加しないことを特徴とするコンピュータプログラム。
【請求項２０】
ユーザにより指定された部数の画像データを縮小する画像データ縮小ステップと、
前記ユーザにより指定された出力部数の画像データに対して、出力する部毎に異なる部番号を付加する部番号付加ステップと、
前記ユーザにより指定された部数の画像データを出力する画像データ出力ステップとをコンピュータに実行させ、
前記部番号付加ステップは、前記画像データ縮小ステップによって縮小された画像データに応じて、部番号を縮小し、縮小した部番号を前記縮小された画像データに付加し、
前記画像データ出力ステップは、前記部番号付加ステップにより部番号が付加された場合には、その付加された部番号とともに画像データを出力することを特徴とするコンピュータプログラム。
【請求項２１】
請求項１７〜２０の何れか１項に記載のコンピュータプログラムを記録したことを特徴とするコンピュータ読み取り可能な記録媒体。